(57)【要約】      （修正有）【課題】非伸縮性繊維材で編成した支持ネットで複数個のタイル片を支持する構成にすることによって、モルタル層への圧着作業を効率的に行うことができ、目地の崩れも無く、モルタル層からの剥落も可及的に防止することができるタイル壁面構成体を提供する。【解決手段】方形の支持ネット２は、ガラス繊維糸等の非伸縮性繊維材を正三角形の格子目状の網体に編成してある。支持ネット２の一側面に裏面を貼着して複数個のタイル片３が縦横に列設してある。構造体の壁面に塗布したモルタル層に支持ネット２を埋め込む状態でタイル片３の裏面を圧着させることでタイル壁面を形成する。【選択図】図１
0003192323.tif 000002
【実用新案登録請求の範囲】
【請求項１】
非伸縮性繊維材からなる繊維束を格子目状の網体に編成して方形に形成した支持ネットと、該支持ネットの繊維束に裏面を貼着して縦横に列設した複数個のタイル片とから構成し、構造体の壁面に塗布形成したモルタル層に前記支持ネットを埋め込む状態で前記タイル片の裏面を圧着するようにしてなるタイル壁面構成体。
【請求項２】
前記支持ネット上に縦横に配列して貼着する複数個のタイル片は、該支持ネットに対して横方向にずらして配置することにより、該支持ネットの一部は前記タイル片の縦列又は横列の一側縁から側方に張り出すＩ字型帯状連結部になり、該タイル片の裏面他側には該支持ネットを貼着しないＩ字型帯状重畳部を形成してあることを特徴とする請求項１記載のタイル壁面構成体。
【請求項３】
前記支持ネット上に縦横に配列して貼着する複数個のタイル片は、該支持ネットに対して縦方向及び横方向にずらして配置することにより、該支持ネットの一部は前記タイル片の縦列及び横列の一側縁から側方に張り出すＬ字型帯状連結部になり、該タイル片の裏面他側には該支持ネットを貼着しないＬ字型帯状重畳部を形成してあることを特徴とする請求項１記載のタイル壁面構成体。
【請求項４】
前記タイル片と前記支持ネットは、該タイル片の縦横の配列方向に対して支持ネットを編成する繊維束が４５度の角度で斜交するように貼着してあることを特徴とする請求項１記載のタイル壁面構成体。
【考案の詳細な説明】
【技術分野】
【０００１】
本考案は、例えばビルディング、建屋、塀等のタイル壁面を構成するタイル壁面構成体に関し、地震やモルタルの劣化によってタイル片が落下する危険を可及的に防止するタイル壁面構成体に関する。
【背景技術】
【０００２】
従来、建物や塀等の壁面をタイル壁面に形成する場合、壁面を構成する下地材にモルタルを塗布して形成したモルタル層に多数のタイル片の各々を圧着することによりタイル壁面を形成していた。しかし、モルタル層にタイル片を１枚毎圧着させる作業は多大な時間を要し、多くの作業員も必要とした。そこで、複数個のタイル片の表面に剥離紙を貼着してタイル片を縦横に配列することによりユニットタイルを構成し、ユニットタイル毎にモルタル層に圧着した後剥離紙をタイル片から剥がすことによりタイル壁面を形成する方法が行われていた。
【０００３】
しかし、剥離紙でタイル片を支持しながらタイル貼りを行う方法には、剥離紙と接着剤の問題がある。即ち、吸水性のある剥離紙は接着剤を塗布すると膨張し、乾燥すると収縮するために、目地の整形が面倒であるし、目地が崩れ易く修正作業が必要とされることである。また、モルタルにタイル片を張った後の剥離紙を剥がす作業が面倒で時間を要するという欠点、全体の作業工程が多いという欠点、接着剤は主に澱粉糊を使用しているために、洗い残しがあると黴の発生の原因や汚れの原因になるという問題がある。また、モルタルの経年劣化や地震によるタイルの剥落を防止する技術ではなかった。
【０００４】
そこで、タイル剥落防止用ネットに所定間隔毎に配列したタイル片の裏面を貼着して構成することにより、モルタルへの貼着作用の効率化、モルタルの経年劣化や地震によるタイル片の剥落防止を図ったユニットタイルが提案されている（特許文献１）。
【先行技術文献】
【特許文献】
【０００５】
【特許文献１】特許第２７７５０８６号特許公報
【考案の概要】
【考案が解決しようとする課題】
【０００６】
上述した従来技術は、タイル片とモルタルとの貼着性を高める効果はある。しかし、タイル剥落防止用ネットは伸張可能な糸で編成してあるため、タイル壁面の全体の調整を図るのに各タイル片毎に位置の修正を行わなければならず、作業効率が悪い、作業時間を要するという欠点、ネットが伸長するとモルタル層に負荷を掛けることから剥離現象を招く危険がある。
【０００７】
本考案は上述した従来技術の諸欠点に鑑みなされたもので、非伸縮性繊維材で編成した支持ネットで複数個のタイル片を支持する構成にすることにより、モルタル層への圧着作業を効率的に行うことができるし、目地の崩れも無く、ネットの伸縮が無いのでモルタル層からの剥落も可及的に防止し、かつモルタル層への負荷も小さいタイル壁面構成体を提供することを目的とする。
【課題を解決するための手段】
【０００８】
上述した課題を解決するために構成した本考案の手段は、非伸縮性繊維材からなる繊維束を格子目状の網体に編成して方形に形成した支持ネットと、該支持ネットの一側面に裏面を貼着して縦横に列設した複数個のタイル片とから構成し、構造体の壁面に塗布形成したモルタル層に前記支持ネットを埋め込む状態で前記タイル片の裏面を圧着させるようにしたものからなる。
【０００９】
そして、前記支持ネット上に縦横に配列して貼着する複数個のタイル片は、該支持ネットに対して横方向にずらして配置することにより、該支持ネットの一部は前記タイル片の縦列又は横列の一側縁から側方に張り出すＩ字型帯状連結部になり、該タイル片の裏面他側には該支持ネットを貼着しないＩ字型帯状重畳部を形成するとよい。
【００１０】
また、前記支持ネット上に縦横に配列して貼着する複数個のタイル片は、該支持ネットに対して縦方向及び横方向にずらして配置することにより、該支持ネットの一部は前記タイル片の縦列及び横列の一側縁から側方に張り出すＬ字型帯状連結部になり、該タイル片の裏面他側には該支持ネットを貼着しないＬ字型帯状重畳部を形成するとよい。
【００１１】
また、前記タイル片と前記支持ネットは、該タイル片の縦横の配列方向に対して支持ネットを編成する繊維束が４５度の角度で斜交するように貼着するとよい。
【考案の効果】
【００１２】
本考案は上記の如く構成したから、下記の諸効果を奏する。
（１）支持ネットは非伸縮性繊維材で編成したから、タイル片を貼着した状態でも格子目は変形しないので目地の崩れが無く、仕上がりの綺麗なタイル壁面を形成できる。
（２）非伸縮性繊維材で編成した支持ネットは変形しないから、モルタル層は外力によって歪むことがないので壁材から早期に剥離する現象を抑制できる。
（３）複数個のタイル片は、支持ネット単位でモルタル層に圧着するようにしたから作業効率に優れている。
（４）タイル裏面の蟻溝にモルタルが侵入して固化することで支持ネットはモルタル層に確実に係着した状態になるから、強度性に優れたタイル壁面構成体を形成できるし、地震時にタイル片のみが落下する事故は確実に防止できるから安全性に優れている。
（５）支持ネットには、列設したタイル片の一側縁から側方に張り出すＩ字型帯状連結部を形成し、隣接するタイル壁面構成体のＩ字型帯状重畳部を重ねてモルタル層に埋設する構成にしたからより、強固なタイル壁面を速やかに構成することができる。
（６）支持ネットには、タイル片の縦列及び横列の各一側縁から側方に張り出すＬ字型帯状連結部を形成し、隣接するタイル壁面構成体のＬ字型帯状重畳部を重ねてモルタル層に埋設する構成にしたから、強固なタイル壁面を速やかに形成することができる。
（７）タイル片の縦横の配列方向に対して、支持ネットを編成する非伸縮性繊維束を４５度で斜交するようにタイル片と支持ネットは貼着することにより、タイル片の重量によって支持ネットが変形することがないから、耐振動性、耐久性に優れたタイル壁面を構成することができる。
（８）タイル壁面構成体の一部のタイル片がモルタル層から剥離しても支持ネットで支持されるので落下は防止できるし、一部のタイル片の剥離から高所に位置するタイル壁面構成体の劣化度を事前に視認することができる。
（９）非伸縮性の支持ネットがモルタル層に埋設した状態になるのでモルタル層の強度性が高くなり、建屋の壁面自体に強度性を持たせることができる。
【図面の簡単な説明】
【００１３】
【図１】図１及び図２は本考案の第１の実施の形態に係り、図１はタイル壁面構成体の裏面斜視図である。
【図２】支持ネットの部分拡大図である。
【図３】図３乃至図５は第２の実施の形態に係り、図３はＩ字型帯状連結部を形成したタイル壁面構成体の斜視図である。
【図４】Ｉ字型帯状重畳部を形成したタイル壁面構成体の裏面斜視図である。
【図５】タイル壁面構成体のＩ字型帯状連結部とＩ字型帯状重畳部の接続状態を示す説明図である。
【図６】図６及び図７は第３の実施の形態に係り、図６はＬ字型帯状連結部を形成したタイル壁面構成体の斜視図である。
【図７】Ｌ字型帯状連結部を形成したタイル壁面構成体と役物タイルとの施工状態の説明図である。
【考案を実施するための形態】
【００１４】
以下、本考案の実施の形態を図面に基づき詳述する。図１及び図２は第１の実施の形態に係り、図において、１はタイル壁面構成体、２は該タイル壁面構成体１を構成する方形に形成した支持ネットを示す。該支持ネット２は例えばガラス繊維糸や炭素繊維糸等の非伸縮性繊維材からなり、該非伸縮性繊維材の複数本を繊維束２Ａとし、多数本の繊維束２Ａ、２Ａ、・・・をＸ字状に交差させて菱形を形成し、中心に縦方向の通し繊維束２Ｂを配列し、交差点は耐アルカリ性バインダーで固着することにより１辺が約１０ｍｍの正三角形の格子目に編成してある。このように支持ネット２の格子目を正三角形にして荷重を均等に分散するようにしたから強度性に優れている。
【００１５】
３、３、・・・はタイル壁面構成体１を構成する複数個の陶製或いは素焼きのタイル片で、該各タイル片３（以下、場合により複数個のタイル片をタイル片群３と総称する。）は横長長方形からなる公知の形状からなり、裏面３Ａには長手方向に沿って複数の足３Ｂ、３Ｂ、３Ｂが形成してあり、足３Ｂ、３Ｂ間は蟻足３Ｃの溝になっている。そして、各タイル片３は前記支持ネット２に目地４を存した状態で縦横に配列し、タイル片３の裏面３Ａと繊維束２Ａ、２Ｂは耐アルカリ性バインダーにより貼着してあり、各繊維束２Ａは蟻足３Ｃを跨いだ状態になっている。
【００１６】
このようにして構成した多数のタイル壁面構成体１は、建屋等の構造体の壁面に塗布して形成したモルタル層に支持ネット２を埋め込むようにしてタイル片３の裏面３Ａを圧着させる。これにより、タイル片３は裏面３Ａがモルタル層に密着した状態で固着し、かつモルタルは各蟻足３Ｃ内に流入して繊維束２Ａ、２Ｂに絡まった状態で固化するから、地震の振動によって一部のタイル片３がモルタル層から剥離して落下する事態を可及的に防止することができる。
【００１７】
本実施の形態によれば、各タイル片３は裏面３Ａがモルタル層に密接して固着し、支持ネット２の繊維束２Ａ、２Ｂがモルタル層に埋設した状態になるから、モルタル層の一部が経年劣化した場合でもタイル片３が単体で落下することがない。また、地震による振動でモルタル壁の一部が落下する場合でも、支持ネット２の全体がモルタル壁から剥離しない限りタイル片３が落下する事態を防止できるから、歩行者等の安全確保に資することができる。
また、タイル壁面構成体１の一部のタイル片３が経年劣化により剥離して浮いた状態になることで、当該タイル壁面構成体１の補修の必要性を視認することができる。
【００１８】
図３乃至図５は第２の実施の形態を示す。なお、本実施の形態及び後述する他の実施の形態において第１の本実施の形態の構成要素と同一の構成要素には同一の符号を付して援用し、その説明を省略する。１１は本実施の形態に係るタイル壁面構成体、１２は該タイル壁面構成体１１を構成する支持ネットで、該支持ネット１２は第１の実施の形態の支持ネット２と同じ素材からなる複数本の繊維束１２Ａ、１２Ａ、・・・をＸ字状に交差させて菱形を形成し、中心に縦方向の通し繊維束１２Ｂを配列して交差点をバインダーで固着して正三角形の格子目に編成してある。
【００１９】
このように構成した支持ネット１２とこれに貼着するタイル片群３は横方向にずらして配置することで、支持ネット１２の一部は約５〜１００ｍｍの幅Ｗでタイル片群３の側面から張り出すＩ字型帯状連結部１２Ｃになり、該タイル片群３の他側一部に位置するタイル片３の裏面３Ａには支持ネット１２を貼着しないＩ字型帯状重畳部１３が形成してある（図４参照）。
【００２０】
このように構成したタイル壁面構成体１１は隣接する支持ネット１２のＩ字型帯状連結部１２ＣにＩ字型帯状重畳部１３を重ねた状態にしてモルタル層に埋設する。この構成により、列設するタイル壁面構成体１１、１１は同一面を形成し、タイル壁面が部分的に盛り上がることのない仕上がりの綺麗な壁面に形成できるし、タイル壁面構成体１１、１１が連結するので耐震性に一層優れた効果を発揮することができる（図５参照）。
【００２１】
図６及び図７は第３の実施の形態に係るタイル壁面構成体２１を示す。該タイル壁面構成体２１の特徴は、複数本の繊維束２２Ａと通し繊維束２２Ｂとから正三角形の格子目に支持ネット２２を編成し、該支持ネット２２上に配列するタイル片群３を支持ネット２２の対角線方向にずらして配設することにより、タイル片群３の側縁から約５〜１００ｍｍの幅Ｗで支持ネット２２が張り出すＬ字型帯状連結部２２Ｃとし、タイル片群３の裏面３Ａに支持ネット２２を貼着しないＬ字型帯状重畳部２３を形成したことにある。
【００２２】
本実施の形態によれば、出窓やテラスのように張り出している壁面にタイル壁面構成体２１を貼着する場合、Ｌ型役物タイル２４を角部に貼着し、この役物タイル２４を構成する支持ネット２５のＬ字型帯状連結部２５Ａにタイル壁面構成体２１のＬ字型重畳部２３を重ねた状態にしてモルタル層に埋設することで、テラス等の張出部位の壁面も強固なタイル壁面に形成できる。
【００２３】
また、本発明における支持ネットは三角形の格子目状のものに限定されるものではなく、四角形の格子目状の支持ネットも使用できる。この場合はタイル片の縦横の配列方向に対して支持ネットを編成する繊維束が４５度の角度で斜交する状態に貼着する。これにより、タイル片３の重量を交差する繊維束で支持するから支持ネットが撓んで目地が歪むことがない。
【符号の説明】
【００２４】
１、１１、２１      タイル壁面構成体
２、１２、２２      支持ネット
２Ａ      繊維束
２Ｂ      一側面
３        タイル片
３Ａ      裏面
３Ｂ      足
３Ｃ      蟻足
１２Ｃ    Ｉ字型帯状連結部
１３      Ｉ字型帯状重畳部
２２Ｃ    Ｌ字型帯状連結部
２３      Ｌ字型帯状重畳部
【図１】
0003192323.tif 000003
【図２】
0003192323.tif 000004
【図３】
0003192323.tif 000005
【図４】
0003192323.tif 000006
【図５】
0003192323.tif 000007
【図６】
0003192323.tif 000008
【図７】
0003192323.tif 000009